(57)【要約】【課題】複数のユーザの出入りがあるエリアであっても、該エリアの温度調整を適切に行う。【解決手段】空調制御装置は、所定エリアに居るユーザが所有する端末が送信する信号に基づいて、第１時刻における所定エリアの混雑状況を示す第１状況を推定する第１推定部と、第１状況と、所定エリアの混雑状況の変化を表す所定のパターンとに基づいて、所定エリアの第２時刻における混雑状況を示す第２状況を推定する第２推定部と、第２状況に基づいて、所定エリアの温度を調整する空調装置を制御する制御部と、を備える。【選択図】      図６
2019025925.tif 000002
【特許請求の範囲】
【請求項１】
所定エリアに居るユーザが所有する端末が送信する信号に基づいて、第１時刻における前記所定エリアの混雑状況を示す第１状況を推定する第１推定手段と、
前記第１状況と、前記所定エリアの混雑状況の変化を表す所定のパターンとに基づいて、前記所定エリアの第２時刻における混雑状況を示す第２状況を推定する第２推定手段と、
前記第２状況に基づいて、前記所定エリアの温度を調整する空調装置を制御する制御手段と、
を備える空調制御装置。
【請求項２】
前記制御手段は、更に、温度を計測する温度センサによって取得された第１時刻における温度と、前記所定エリアにおいて取得された温度の統計データとに基づいて、前記空調装置を制御する、
請求項１に記載の空調制御装置。
【請求項３】
前記温度センサは、前記端末に備えられており、
前記制御手段は、前記所定エリアにおいて、前記端末に備えられた前記温度センサによって取得された温度の統計データに基づいて、前記空調装置を制御する、
請求項２に記載の空調制御装置。
【請求項４】
前記第１状況、前記第２状況および前記制御手段による前記空調装置の制御の内容、の少なくとも何れかを表示する表示手段を更に備える、
請求項１から３の何れか１項に記載の空調制御装置。
【請求項５】
所定エリアに居るユーザが所有する端末が送信する信号に基づいて、第１時刻における前記所定エリアの混雑状況を示す第１状況を推定し、
前記第１状況と、前記所定エリアの混雑状況の変化を表す所定のパターンとに基づいて、前記所定エリアの第２時刻における混雑状況を示す第２状況を推定し、
前記第２状況に基づいて、前記所定エリアの温度を調整する空調装置を制御する、空調制御方法。
【請求項６】
温度を計測する温度センサによって取得された第１時刻における温度と、前記所定エリアにおいて取得された温度の統計データとに基づいて、前記空調装置を制御する、
請求項５に記載の空調制御方法。
【請求項７】
所定エリアに居るユーザが所有する端末が送信する信号に基づいて、第１時刻における前記所定エリアの混雑状況を示す第１状況を推定する処理と、
前記第１状況と、前記所定エリアの混雑状況の変化を表す所定のパターンとに基づいて、前記所定エリアの第２時刻における混雑状況を示す第２状況を推定する処理と、
前記第２状況に基づいて、前記所定エリアの温度を調整する空調装置を制御する処理と、
をコンピュータに実行させるプログラム。
【請求項８】
前記制御する処理は、更に、温度を計測する温度センサによって取得された第１時刻における温度と、前記所定エリアにおいて取得された温度の統計データとに基づいて、前記空調装置を制御する、
請求項７に記載のプログラム。
【発明の詳細な説明】
【技術分野】
【０００１】
本開示は、空調制御装置、空調制御方法およびプログラムに関する。
【背景技術】
【０００２】
温度センサを内蔵する装置または端末にて測定された温度に基づいて空調を制御する技術が開示されている。例えば、特許文献１には、温度センサを内蔵する温度検出装置を用いて測定し、測定した温度に基づいて、空調の動作を制御することが記載されている。また、特許文献２には、携帯電話に内蔵された温度センサで計測した温度計測データに基づいて、空調設備器を運転制御することが記載されている。また、特許文献３には、センサが組み込まれたセンサ端末によって計測された温度に基づいて、該センサ端末に影響を当たれる空調機器の設定温度を補正し、補正した設定温度を空調機器に送信することにより空調機器を制御する制御装置が記載されている。
【先行技術文献】
【特許文献】
【０００３】
【特許文献１】特開２０１５−９７３５４号公報
【特許文献２】特開２００４−２０１３２号公報
【特許文献３】国際公開第２０１２／１０１７６２号
【発明の概要】
【発明が解決しようとする課題】
【０００４】
例えば、列車の車両内やホテルのロビーなどの空間（エリア）では、複数の利用客（ユーザ）が入れ替わることにより、該空間の温度の変換が起こりやすい。したがって、上記特許文献１〜３に記載の技術では、このような空間での温度調整を行うために、空調装置の設定温度を何度も変更する必要があり、該エリアの温度調整を適切に行うことが難しい。
【０００５】
本開示は上記課題に鑑みてなされたものであり、その目的は、複数のユーザの出入りがあるエリアであっても、該エリアの温度調整を適切に行うことが可能な技術を提供することにある。
【課題を解決するための手段】
【０００６】
本開示の一態様に係る空調制御装置は、所定エリアに居るユーザが所有する端末が送信する信号に基づいて、第１時刻における前記所定エリアの混雑状況を示す第１状況を推定する第１推定手段と、前記第１状況と、前記所定エリアの混雑状況の変化を表す所定のパターンとに基づいて、前記所定エリアの第２時刻における混雑状況を示す第２状況を推定する第２推定手段と、前記第２状況に基づいて、前記所定エリアの温度を調整する空調装置を制御する制御手段と、を備える。
【０００７】
また、本開示の一態様に係る空調制御方法は、所定エリアに居るユーザが所有する端末が送信する信号に基づいて、第１時刻における前記所定エリアの混雑状況を示す第１状況を推定し、前記第１状況と、前記所定エリアの混雑状況の変化を表す所定のパターンとに基づいて、前記所定エリアの第２時刻における混雑状況を示す第２状況を推定し、前記第２状況に基づいて、前記所定エリアの温度を調整する空調装置を制御する。
【０００８】
なお、上記各装置または方法を、コンピュータによって実現するコンピュータプログラム、およびそのコンピュータプログラムが格納されている、コンピュータ読み取り可能な非一時的記録媒体も、本開示の範疇に含まれる。
【発明の効果】
【０００９】
本開示によれば、複数のユーザの出入りがあるエリアであっても、該エリアの温度調整を適切に行うことができる。
【図面の簡単な説明】
【００１０】
【図１】第１の実施の形態に係る空調制御装置を含む空調システムの全体図を示す図である。
【図２】第１の実施の形態に係る空調制御装置の構成の一例を示すブロック図である。
【図３】所定エリアの混雑状況の変化を表すパターンの一例を示す図である。
【図４】第１の実施の形態に係る空調システムによる、車両内の温度の調整の動作を示すシーケンスチャートである。
【図５】統計データの一例を示す図である。
【図６】第２の実施の形態に係る空調制御装置の構成の一例を示すブロック図である。
【図７】第２の実施の形態に係る空調制御装置の動作の流れの一例を示すフローチャートである。
【図８】各実施の形態を実現可能なコンピュータ（情報処理装置）のハードウェア構成を例示的に説明する図である。
【発明を実施するための形態】
【００１１】
＜第１の実施の形態＞
本開示の一実施の形態について、図面を参照して説明する。図１は本実施の形態に係る空調制御装置１００を含む空調システム１の全体図を示す図である。図１に示す通り、空調制御装置１００と、携帯端末２００と、アクセスポイント３００と、空調装置４００と、を含む。
【００１２】
携帯端末２００（２００Ａ〜２００Ｇ）は、車両５００に乗るユーザが所有する端末である。図１では２つの車両５００（車両５００Ａ、車両５００Ｂ）について説明を行うが車両の数は特に限定されない。以降、車両５００Ａおよび車両５００Ｂの夫々を区別しない場合、または、総称する場合には、これらを車両５００と呼ぶ。また携帯端末２００Ａ〜携帯端末２００Ｇの夫々を区別しない場合、または、総称する場合には、これらを携帯端末２００と呼ぶ。
【００１３】
車両５００Ａには、車両５００Ａに乗る複数のユーザの夫々が所有する携帯端末２００（２００Ａ〜２００Ｃ）と通信を行うアクセスポイント３００Ａと、車両５００Ａ内の温度を調整する空調装置４００Ａとが設けられている。同様に、車両５００Ｂには、車両５００Ｂに乗る複数のユーザの夫々が所有する携帯端末２００（２００Ｄ〜２００Ｇ）と通信を行うアクセスポイント３００Ｂと、車両５００Ｂ内の温度を調整する空調装置４００Ｂとが設けられている。以降、アクセスポイント３００Ａおよびアクセスポイント３００Ｂの夫々を区別しない場合、または、総称する場合には、これらをアクセスポイント３００と呼ぶ。また、空調装置４００Ａおよび空調装置４００Ｂの夫々を区別しない場合、または、総称する場合には、これらを空調装置４００と呼ぶ。
【００１４】
アクセスポイント３００は、空調制御装置１００とネットワークを介して通信可能に接続している。アクセスポイント３００は、携帯端末２００が送信する信号を受信し、空調制御装置１００に該信号を送信する機能を有していればよい。携帯端末２００と、アクセスポイント３００との通信方式は、例えば、Ｂｌｕｅｔｏｏｔｈ（登録商標）であってもよいし、その他の方式であってもよい。携帯端末２００とアクセスポイント３００との通信方式は特に限定されない。
【００１５】
本実施の形態では、各携帯端末２００は、温度を計測する温度センサが搭載されているとする。携帯端末２００は、所定のタイミングで携帯端末２００の周辺の温度を計測し、計測した温度を示す温度情報を含む信号をアクセスポイント３００に送信する。携帯端末２００Ａ、携帯端末２００Ｂおよび携帯端末２００Ｃは、アクセスポイント３００Ａに温度情報を含む信号を送信し、携帯端末２００Ｄ、携帯端末２００Ｅ、携帯端末２００Ｆおよび携帯端末２００Ｇはアクセスポイント３００Ｂに温度情報を含む信号を送信する。なお、以降では、携帯端末２００は、温度情報を空調制御装置１００に送信すると記載する。なお、携帯端末２００が温度を計測し温度情報を送信するタイミングは、任意のタイミングであってもよいし、空調制御装置１００から送信された要求を受信した時であってもよい。本実施の形態では、空調制御装置１００が要求を送信する構成であるとして説明を行う。
【００１６】
空調装置４００は、空調制御装置１００とネットワークを介して通信可能に接続している。空調装置４００は、空調制御装置１００から送信された制御信号に基づいて、車両５００内の温度を調整する。
【００１７】
図２は、本実施の形態に係る空調制御装置１００の構成の一例を示すブロック図である。図２に示す通り、空調制御装置１００は、通信部１１０と、第１推定部１２０と、記憶部１３０と、第２推定部１４０と、制御部１５０と、表示部１６０と、を備える。
【００１８】
通信部１１０は、携帯端末２００が送信する温度情報を、アクセスポイント３００を介して受信する。また、通信部１１０は、温度情報の送信の要求を、アクセスポイント３００を介して携帯端末２００に送信する。通信部１１０は、受信した温度情報を、該温度情報を空調制御装置１００に送信したアクセスポイント３００を示す情報と共に第１推定部１２０に供給する。
【００１９】
第１推定部１２０は、温度情報が取得された時刻（第１時刻）における車両５００内の混雑状況を示す第１状況を推定する。具体的には、第１推定部１２０は、通信部１１０が、アクセスポイント３００毎に、温度情報を受信した数に基づいて、アクセスポイント３００が温度情報を受信するエリア（車両５００内）の混雑状況を推定する。図１に示す例の場合、第１推定部１２０は、携帯端末２００Ａ〜携帯端末２００Ｃの夫々から送信された温度情報に基づいて、車両５００Ａ内の混雑状況を推定し、携帯端末２００Ｄ〜携帯端末２００Ｇの夫々から送信された温度情報に基づいて、車両５００Ｂ内の混雑状況を推定する。第１推定部１２０は、温度情報の数を第１時刻に車両５００内にいるユーザの人数として混雑状況を推定してもよい。また、第１推定部１２０は、温度情報の数に基づいて、温度情報を送信していない携帯端末２００や携帯端末２００を保有していないユーザの存在を考慮して混雑状況を推定してもよい。温度情報を送信していない携帯端末２００とは、例えば、優先席の近くなど携帯端末２００の電源が切られているため、温度情報を送信可能な状態ではない端末などが挙げられるがこれに限定されるものではない。
【００２０】
なお、第１時刻は、例えば、１時から１時５分の間等、所定の時間幅を有していてもよい。よって、第１推定部１２０は、例えば、１時から１時５分の間等に取得された温度を示す温度情報から車両５００内の混雑状況を推定してもよい。
【００２１】
第１推定部１２０は、推定した車両５００毎の混雑状況を第２推定部１４０に供給する。なお、第１推定部１２０は、推定した車両５００毎の混雑状況を、記憶部１３０に格納してもよい。
【００２２】
記憶部１３０は、所定エリアの混雑状況の変化を表す所定のパターンを格納する。具体的には、記憶部１３０は、車両５００毎に、車両５００の混雑状況の変化を表す所定のパターンを格納する。
【００２３】
図３は、記憶部１３０に格納されるパターン３１の一例を示す図である。パターン３１は、車両５００毎の混雑状況の変化を表す。パターン３１は、車両を識別する車両３２と次の駅３３と時刻３４と季節３５と混雑状況の変化３６とを含むとして説明するが、パターン３１が含む情報はこれに限定されない。
【００２４】
車両３２は、車両を識別する。車両３２は、車両名であってもよいし、車両番号であってもよいし、その他の情報であってもよい。次の駅３３は、列車が次に到着する駅を示す情報であり、駅名や駅を示すコードで表現される。時刻３４は、混雑状況の変化３６が発生する時刻を示す情報である。季節３５は、混雑状況の変化３６が発生する季節を示す。混雑状況の変化３６は、列車が、季節３５に示される季節の時刻３４に示す時刻において、車両３２によって示される車両内の混雑状況がどのように変化をしたのかを示す。
【００２５】
混雑状況の変化３６は、第１推定部１２０による推定結果を蓄積したデータから予め算出されたものであってもよい。また、混雑状況の変化３６は、乗務員等によって予め登録されたものであってもよい。また、混雑状況の変化３６は、通信部１１０が取得した温度情報および／または第１推定部１２０による推定結果に基づいて、例えば、任意の機械学習等を行うことによって得られたデータであってもよい。
【００２６】
第２推定部１４０は、第１推定部１２０から供給された車両５００毎の混雑状況（第１状況）と、記憶部１３０に格納された所定のパターン３１とに基づいて、車両５００内の第２時刻における混雑状況を示す第２状況を、車両５００毎に推定する。具体的には、第２推定部１４０は、第１推定部１２０が推定した車両５００Ａの混雑状況と、パターン３１のうち、第１時刻より後の時刻における車両５００Ａに関連するパターンとに基づいて、第１時刻より後の第２時刻における車両５００Ａ内の混雑状況を推定する。例えば、第２推定部１４０は、第１推定部１２０が推定した第１時刻における車両５００Ａ内の混雑状況と、図３に示す車両５００Ａに関連する混雑状況の変化３６である「前の駅から２０％増」とを用いて、第２時刻における車両５００Ａ内の混雑状況を推定する。同様に、第２推定部１４０は、第１推定部１２０が推定した車両５００Ｂの混雑状況と、パターン３１のうち、第１時刻より後の時刻における車両５００Ｂに関連するパターンとに基づいて、第１時刻より後の第２時刻における車両５００Ｂ内の混雑状況を推定する。第２推定部１４０は、推定した、第２時刻における各車両５００毎の混雑状況を制御部１５０に供給する。
【００２７】
制御部１５０は、第２推定部１４０が推定した、第２時刻における車両５００毎の混雑状況に基づいて、車両５００毎に空調装置４００を制御する。具体的には、制御部１５０は、第２推定部１４０から供給された、第２時刻における車両５００Ａの混雑状況に基づいて空調装置４００Ａを制御する制御信号を生成し、該制御信号を空調装置４００Ａに送信する。同様に、制御部１５０は、第２推定部１４０から供給された、第２時刻における車両５００Ｂの混雑状況に基づいて空調装置４００Ｂを制御する制御信号を生成し、該制御信号を空調装置４００Ｂに送信する。
【００２８】
例えば、第２時刻における混雑状況が、混雑する（例えば、乗車率が所定の第１閾値より高い）ことを表す場合、制御部１５０は、車両５００に設けられた空調装置４００の設定温度をより低い温度に設定しなおす制御信号を生成する。また、例えば、第２時刻における混雑状況が、あまり混雑していない（乗車率が所定の第２閾値より低い）ことを表す場合、制御部１５０は、車両５００に設けられた空調装置４００の設定温度をより高い温度に設定しなおす制御信号を生成する。
【００２９】
これにより、空調装置４００Ａおよび空調装置４００Ｂは、夫々、受信した制御信号に基づいて、車両５００Ａおよび車両５００Ｂ内の温度を調整することができる。
【００３０】
例えば、温度情報に応じて空調装置４００を制御する場合、温度情報によって示される温度が変化する度に空調装置４００の設定温度を短期間に上げ下げする必要が出てきてしまう場合がある。しかしながら、本実施の形態では、第２推定部１４０が推定した、温度が計測された時刻（第１時刻）より先の第２時刻の混雑状況に基づいて、制御部１５０が空調装置４００を制御する。よって、例えば、混雑することが推定される場合に、制御部１５０は、空調装置４００の設定温度を、混雑する前に低い温度に変更することができる。これにより、車両５００といった、複数のユーザの出入りがあるエリアであっても、空調制御装置１００は、該エリアの温度調整を適切に行うことができる。
【００３１】
また、本実施の形態に係る空調制御装置１００は、空調装置４００の設定温度を推定した混雑状況に基づいて設定するため、短期間に温度の調整を何度も行う必要がなくなる。よって、空調制御装置１００は、短期間に温度の調整を何度も行う場合に比べ、空調装置４００が消費する電力を削減することができる。
【００３２】
また、制御部１５０は、表示部１６０に表示させる画面を生成し、該表示部１６０に該生成した画面を表示させる。表示部１６０は、制御部１５０からの指示に基づいて、制御部１５０が生成した画面を表示する。表示部１６０は、例えば、駆動装置とディスプレイとからなる。表示部１６０は、空調制御装置１００とは別個の表示装置によって実現されるものであってもよい。
【００３３】
制御部１５０は、例えば、通信部１１０が受信した温度情報を、第１推定部１２０および第２推定部１４０を介して取得し、温度分布の中央値または最頻値、温度の平均値、最高値（最高温度）または最低値（最低温度）を表示部１６０に表示させる。
【００３４】
制御部１５０は、例えば、第１推定部１２０が推定した混雑状況を示す情報（混雑状況情報と呼ぶ）を表示部１６０に表示させてもよい。
【００３５】
制御部１５０は、例えば、第２推定部１４０が推定した、第２時刻における混雑状況情報を表示部１６０に表示させてもよい。
【００３６】
制御部１５０は、空調装置４００に送信した制御信号が表す制御の内容（制御情報と呼ぶ）を、表示部１６０に表示させてもよい。
【００３７】
これにより、表示部１６０に表示された情報を確認可能なユーザ（例えば、乗務員）は、第１時刻における各車両５００の温度、混雑状況および空調装置４００の制御内容を容易に把握することができる。
【００３８】
図４は、本実施の形態に係る空調システム１による、車両５００内の温度の調整の動作を示すシーケンスチャートである。なお、空調制御装置１００と携帯端末２００との間の通信は、アクセスポイント３００を介して行われているものとする。
【００３９】
ステップＳ１において、空調制御装置１００は、携帯端末２００に要求を送信する。この要求は、温度を示す温度情報の送信要求である。空調制御装置１００は、この要求を所定のタイミングで送信してもよい。例えば、空調制御装置１００は、所定の時間間隔で要求を空調制御装置１００に送信してもよいし、列車が駅を出発した所定時間後や次の駅に到着する所定時間前に要求を空調制御装置１００に送信してもよい。携帯端末２００は、この要求を受け取ると、ステップＳ２を実行する。
【００４０】
ステップＳ２において、携帯端末２００は、該携帯端末２００の周辺の温度を計測する。そして、携帯端末２００は、ステップＳ３において、計測した温度を示す温度情報を空調制御装置１００に送信する。
【００４１】
空調制御装置１００は、温度情報を各携帯端末２００から受信するとステップＳ４を実行する。ステップＳ４において、空調制御装置１００は、受信した温度情報に基づいて、車両５００毎に、温度が計測された時刻における該車両５００内の混雑状況を推定する。図１の例の場合、空調制御装置１００は、温度が計測された時刻における車両５００Ａ内の混雑状況を、携帯端末２００Ａ〜携帯端末２００Ｃの夫々から送信された温度情報に基づいて推定する。また、空調制御装置１００は、温度が計測された時刻における車両５００Ｂ内の混雑状況を、携帯端末２００Ｄ〜携帯端末２００Ｇの夫々から送信された温度情報に基づいて推定する。
【００４２】
ステップＳ４の後、空調制御装置１００は、ステップＳ５を実行する。ステップＳ５において、空調制御装置１００は、ステップＳ４にて推定した、第１時刻における混雑状況と、所定のパターンとに基づいて、第１時刻より後の第２時刻における車両５００内の混雑状況を推定する。
【００４３】
その後、空調制御装置１００は、ステップＳ６において、第２時刻における車両５００毎の混雑状況に基づいて、車両５００毎に空調装置４００を制御する制御信号を、空調装置４００に送信する。図１に示す例の場合、空調制御装置１００は、第２時刻における車両５００Ａの混雑状況に基づいて空調装置４００Ａを制御する制御信号を生成し、該制御信号を空調装置４００Ａに送信する。また、制御部１５０は、第２推定部１４０から供給された、第２時刻における車両５００Ｂの混雑状況に基づいて空調装置４００Ｂを制御する制御信号を生成し、該制御信号を空調装置４００Ｂに送信する。
【００４４】
空調制御装置１００からの制御信号を受け取った空調装置４００は、ステップＳ７を実行する。ステップＳ７において、空調装置４００は、受け取った制御信号に基づいて、温度を調整する。
【００４５】
また、空調制御装置１００は、ステップＳ８を実行する。ステップＳ８は、ステップＳ７と非同期に行われる。ステップＳ８において、空調制御装置１００は、車両５００内の温度と混雑状況とを画面に表示する。なお、ここでは、空調制御装置１００が温度と混雑状況とを画面に表示するとして説明を行うが、画面に表示する情報はこれに限定されない。上述した通り、空調制御装置１００は、空調装置４００に対する制御の内容を画面に表示してもよい。空調装置４００に対する制御の内容とは、例えば「設定温度を２３度に変更する指示」等である。
【００４６】
空調制御装置１００は、ステップＳ８にて、ステップＳ３にて受信した温度情報に基づいて算出された、温度分布の中央値または最頻値、温度の平均値、最高値（最高温度）または最低値（最低温度）等の車両５００内の温度と、ステップＳ４にて推定した混雑状況を示す情報（混雑状況情報）を表示する。
【００４７】
以上のように、本実施の形態に係る空調制御装置１００によれば、第１時刻における混雑状況を推定し、第１時刻より後の第２時刻における混雑状況を推定し、該第２時刻における混雑状況に基づいて、制御部１５０が空調装置４００を制御する。
【００４８】
車両５００内の混雑状況は、車両５００の位置、時間帯、季節によって規則性があると考えられる。車両５００内の温度の変化は、車両５００内の混雑状況に応じて変化するため、車両５００内の温度の変化も規則性があると推測される。
【００４９】
本実施の形態における第２推定部１４０は、第１時刻における混雑状況と車両５００内の混雑状況の変化を表す所定のパターンとに基づいて、所定エリアの第２時刻における混雑状況を示す第２状況を推定する。
【００５０】
これにより、例えば、第２時刻における混雑状況が第１時刻における混雑状況と異なる場合、制御部１５０は、推定された第２時刻の混雑状況を考慮して、空調装置４００を制御することができる。
【００５１】
また、例えば、車両５００Ａのパターンが図３に示す通り「前の駅から２０％増」である場合に、通常時の第１時刻の混雑状況が「乗車率１００％」であるとする。この場合、第２推定部１４０は、第２時刻の混雑状況が「乗車率１２０％」と推定することができる。
【００５２】
例えば、振替輸送の発生時や、イベントが開催された場合など、第１時刻の混雑状況が通常時とは異なってしまう。この場合、空調装置４００が通常時と同様の設定温度で可動した場合、車両５００内の温度が適切な温度ではない可能性がある。しかしながら、本実施の形態における第２推定部１４０は、第１時刻における混雑状況とパターンとに基づいて、第２時刻における混雑状況を推定する。したがって、第１時刻の混雑状況が「乗車率１３０％」であるとする場合、第２推定部１４０は、第２時刻の混雑状況が「乗車率１５６％」と推定することができる。
【００５３】
制御部１５０はこのように推定された第２時刻における混雑状況に基づいて、空調装置４００を制御する。よって、車両５００といった、複数のユーザの出入りがあるエリアであっても、空調制御装置１００は、該エリアの温度調整を適切に行うことができる。
【００５４】
なお、本実施の形態では、携帯端末２００が温度センサを備えるとして説明を行ったが、温度センサは車両５００の任意の位置に設けられてもよい。また、温度センサの数は特に限定しない。この場合、携帯端末２００は、アクセスポイント３００に対して、温度以外の情報を送信すればよい。これにより、空調制御装置１００は、温度を計測する機能を有しない携帯端末２００からの信号を受け付けることができるため、第１推定部１２０が推定する混雑状況の推定精度を上げることができる。
【００５５】
また、本実施の形態では、１つの車両５００に対し、１つのアクセスポイント３００が設けられるとして説明を行ったが、アクセスポイント３００の数は特に限定されない。
【００５６】
また、１つの車両５００に複数の空調装置４００が設けられてもよい。また、各空調装置４００が１つのアクセスポイント３００に関連付けられてもよい。この場合、空調制御装置１００は、該アクセスポイント３００が通信可能なエリアに居るユーザが所有する携帯端末２００から、アクセスポイント３００を介して温度情報を表す信号を受信することにより、アクセスポイント３００毎に、第１状況および第２状況を推定してもよい。そして、空調制御装置１００は、推定した第２状況に基づいて、対応するアクセスポイント３００に関連付けられる空調装置４００を制御してもよい。
【００５７】
また、本実施の形態では、空調制御装置１００は、アクセスポイント３００を介して、携帯端末２００と通信を行うことについて説明を行ったが、空調制御装置１００は、アクセスポイント３００を介さずに携帯端末２００と通信を行ってもよい。この場合、空調制御装置１００は、携帯端末２００から該携帯端末２００が位置する場所を示す位置情報を受信することにより、携帯端末２００を有するユーザがどの車両に乗っているのかを特定してもよい。
【００５８】
また、空調制御装置１００は、空調装置４００の設定温度を操作可能な管理者からの入力を受け付ける入力部を備えてもよい。空調装置４００の設定温度を操作可能な管理者とは、車両５００を含む列車の乗務員等である。例えば、表示部１６０に表示された各車両の温度、混雑状況情報および制御情報に応じて管理者が空調装置４００に対して操作を行う場合において、入力部が、管理者による、車両５００内の温度を調整するための入力を受け付けてもよい。そして、制御部１５０は、受け付けた入力に応じた制御信号を生成し、空調装置４００に送信してもよい。
【００５９】
また、空調制御装置１００は、ホテルやオフィスビルのロビーのような空間にも適用可能である。例えば、ロビー内の空間を１以上の空調装置４００の夫々が温度を調整可能な１以上のエリアに分け、それぞれのエリア内にいるユーザの端末と通信可能なアクセスポイントを設けることにより、空調制御装置１００は、上述した実施形態と同様の動作を行うことができる。なお、このエリアは、一部が重複していてもよい。
【００６０】
また、空調制御装置１００の制御部１５０は、更に、携帯端末２００または車両５００に設けられた温度センサが計測する第１時刻における温度と、温度の統計データとに基づいて、空調装置４００を制御してもよい。
【００６１】
温度の統計データは、例えば、記憶部１３０に格納されてもよいし、制御部１５０の内部に格納されてもよい。温度の統計データの一例について、図５を参照して説明する。図５は、統計データの一例を示す図である。図５に示す統計データ５１は、通信部１１０が受信した温度情報に基づいて生成される。図５に示す統計データ５１は、温度の計測日と第１時刻とを示す日時５２と、温度が計測された場所を示す場所５３と、最高温度５４と、最低温度５５と、平均温度５６と、温度分布の中央値５７と、最頻値５８と、データ数５９とを含む。なお、統計データ５１が含む情報はこれに限定されない。
【００６２】
場所５３は、各車両５００を示す。統計データ５１は、第１時刻毎および場所に、取得された温度の統計データを含む。なお、統計データ５１は日時ごとではなく、季節ごとの統計データであってもよい。
【００６３】
データ数５９は、通信部１１０が受信した温度情報の数を示す。最高温度５４、最低温度５５、平均温度５６、温度分布の中央値５７および最頻値５８は、通信部１１０が受信した温度情報に基づいて算出される。
【００６４】
制御部１５０は、第２推定部１４０が推定した混雑状況と、パターンと、第１時刻における車両５００内の温度と、統計データ５１とに基づいて、空調装置４００を制御する。これにより、例えば、第２時刻における混雑状況が、混雑することを示す場合であっても、第１時刻における車両５００内の温度と統計データ５１とに基づいて、車両５００内の温度が急激に上昇しないと推定される場合、制御部１５０は、空調装置４００の設定温度を第１時刻における設定温度から変更しない等の制御を行うことができる。
【００６５】
なお、統計データ５１は、携帯端末２００に搭載された温度センサによって計測された温度に基づいて生成されることが好ましい。車両５００内に設置された温度センサの場合、該温度センサが車両５００内に設置された位置から動かない。また、温度センサの数も限定される。しかしながら、携帯端末２００に温度センサが搭載されている場合、取得される温度の数や位置が都度変化する。これにより、統計データ５１は、空調装置４００の設定温度を制御するに当たり、利用価値がより高いデータとなりうる。よって、空調制御装置１００は、車両５００内の温度調整をより適切に行うことができる。
【００６６】
＜第２の実施の形態＞
本開示の第２の実施の形態について、図面を参照して説明を行う。本実施の形態は、上述した第１の実施の形態に係る空調制御装置１００の基本の構成について説明する。
【００６７】
図６は、本実施の形態に係る空調制御装置１０の構成の一例を示すブロック図である。図６に示す通り、本実施の形態に係る空調制御装置１０は、第１推定部１１と、第２推定部１２と、制御部１３とを備える。
【００６８】
第１推定部１１は、上述した第１推定部１２０の機能を含む。第１推定部１１は、第１推定部１２０と同様に、所定エリアに居るユーザが所有する端末が送信する信号に基づいて、第１時刻における所定エリアの混雑状況を示す第１状況を推定する。ここで、所定エリアとは、例えば、車両内であってもよいし、車両内の一部のエリアであってもよい。所定エリアとは、ビルやホテルのロビーの一部分であってもよい。所定エリアは複数であってもよい。複数の所定エリアは互いに重複してもよい。
【００６９】
第２推定部１２は、上述した第２推定部１４０の機能を含む。第２推定部１２は、第２推定部１４０と同様に、第１推定部１１が推定した第１状況と、所定エリアの混雑状況の変化を表す所定のパターンとに基づいて、所定エリアの第２時刻における混雑状況を示す第２状況を推定する。第２推定部１２は、第１時刻における混雑状況と、混雑状況の変化とに基づいて、第１時刻よりも後の時刻である第２時刻における同エリアの混雑状況を推定する。
【００７０】
制御部１３は、上述した制御部１５０の機能を含む。制御部１３は、制御部１５０と同様に、第２状況に基づいて、所定エリアの温度を調整する空調装置を制御する。制御部１３は、空調装置の設定温度を変更する制御信号を生成し、該空調装置に制御信号を送信することにより、該空調装置を制御する。
【００７１】
図７は、本実施の形態に係る空調制御装置１０の動作の流れの一例を示すフローチャートである。図７に示す通り、第１推定部１１が、所定エリアに居るユーザが所有する端末が送信する信号に基づいて、第１時刻における所定エリアの混雑状況を示す第１状況を推定する（ステップＳ７１）。
【００７２】
そして、第２推定部１２が第１状況と、所定エリアの混雑状況の変化を表す所定のパターンとに基づいて、所定エリアの第２時刻における混雑状況を示す第２状況を推定する（ステップＳ７２）。
【００７３】
その後、制御部１３が、第２状況に基づいて、所定エリアの温度を調整する空調装置を制御する（ステップＳ７３）。
【００７４】
例えば、車両のような所定のエリアの混雑状況は、時間帯や季節によって規則性があると考えられる。所定のエリア内の温度の変化は、混雑状況に応じて変化するため、所定のエリア内の温度の変化も規則性があると推測される。
【００７５】
本実施の形態における第２推定部１２は、第１推定部１１が推定した、第１時刻における混雑状況と車両内の混雑状況の変化を表す所定のパターンとに基づいて、所定エリアの第２時刻における混雑状況を示す第２状況を推定する。
【００７６】
これにより、例えば、第２時刻における混雑状況が第１時刻における混雑状況と異なる場合、制御部１３は、推定された第２時刻の混雑状況を考慮して、空調装置を制御することができる。よって、車両のような、複数のユーザの出入りがあるエリアであっても、空調制御装置１０は、該エリアの温度調整を適切に行うことができる。
【００７７】
（ハードウェア構成について）
本開示の各実施形態において、空調制御装置（１０、１００）の各構成要素は、機能単位のブロックを示している。空調制御装置（１０、１００）の各構成要素の一部又は全部は、例えば図８に示すような情報処理装置９００とプログラムとの任意の組み合わせにより実現される。図８は、空調制御装置（１０、１００）の各構成要素を実現する情報処理装置９００のハードウェア構成の一例を示すブロック図である。情報処理装置９００は、一例として、以下のような構成を含む。
【００７８】
・ＣＰＵ（Ｃｅｎｔｒａｌ  Ｐｒｏｃｅｓｓｉｎｇ  Ｕｎｉｔ）９０１
・ＲＯＭ（Ｒｅａｄ  Ｏｎｌｙ  Ｍｅｍｏｒｙ）９０２
・ＲＡＭ（Ｒａｎｄｏｍ  Ａｃｃｅｓｓ  Ｍｅｍｏｒｙ）９０３
・ＲＡＭ９０３にロードされるプログラム９０４
・プログラム９０４を格納する記憶装置９０５
・記録媒体９０６の読み書きを行うドライブ装置９０７
・通信ネットワーク９０９と接続する通信インタフェース９０８
・データの入出力を行う入出力インタフェース９１０
・各構成要素を接続するバス９１１
各実施形態における空調制御装置（１０、１００）の各構成要素は、これらの機能を実現するプログラム９０４をＣＰＵ９０１が取得して実行することで実現される。空調制御装置（１０、１００）の各構成要素の機能を実現するプログラム９０４は、例えば、予め記憶装置９０５やＲＯＭ９０２に格納されており、必要に応じてＣＰＵ９０１がＲＡＭ９０３にロードして実行される。なお、プログラム９０４は、通信ネットワーク９０９を介してＣＰＵ９０１に供給されてもよいし、予め記録媒体９０６に格納されており、ドライブ装置９０７が当該プログラムを読み出してＣＰＵ９０１に供給してもよい。
【００７９】
空調制御装置（１０、１００）の実現方法には、様々な変形例がある。例えば、空調制御装置（１０、１００）は、構成要素毎にそれぞれ別個の情報処理装置９００とプログラムとの任意の組み合わせにより実現されてもよい。また、空調制御装置（１０、１００）が備える複数の構成要素が、一つの情報処理装置９００とプログラムとの任意の組み合わせにより実現されてもよい。
【００８０】
また、空調制御装置（１０、１００）の各構成要素の一部又は全部は、その他の汎用または専用の回路、プロセッサ等やこれらの組み合わせによって実現される。これらは、単一のチップによって構成されてもよいし、バスを介して接続される複数のチップによって構成されてもよい。
【００８１】
空調制御装置（１０、１００）の各構成要素の一部又は全部は、上述した回路等とプログラムとの組み合わせによって実現されてもよい。
【００８２】
各装置の各構成要素の一部又は全部が複数の情報処理装置や回路等により実現される場合には、複数の情報処理装置や回路等は、集中配置されてもよいし、分散配置されてもよい。例えば、情報処理装置や回路等は、クライアントアンドサーバシステム、クラウドコンピューティングシステム等、各々が通信ネットワークを介して接続される形態として実現されてもよい。
【００８３】
なお、上述した各実施の形態は、本開示の好適な実施の形態であり、上記各実施の形態にのみ本開示の範囲を限定するものではなく、本開示の要旨を逸脱しない範囲において当業者が上記各実施の形態の修正や代用を行い、種々の変更を施した形態を構築することが可能である。
【符号の説明】
【００８４】
１０    空調制御装置
１１    第１推定部
１２    第２推定部
１３    制御部
１００    空調制御装置
１１０    通信部
１２０    第１推定部
１３０    記憶部
１４０    第２推定部
１５０    制御部
１６０    表示部
【図１】
2019025925.tif 000003
【図２】
2019025925.tif 000004
【図３】
2019025925.tif 000005
【図４】
2019025925.tif 000006
【図５】
2019025925.tif 000007
【図６】
2019025925.tif 000008
【図７】
2019025925.tif 000009
【図８】
2019025925.tif 000010